(57)【要約】【課題】記録媒体の折り畳み前に、折り畳み後の記録媒体に含まれる表題情報の位置をユーザに確認させることができる画像処理装置、情報処理装置及びプログラムを提供する。【解決手段】画像処理装置１０は、表題欄を含む画像の回転角度及び記録用紙の折り方の種類を入力する操作パネル３０と、当該画像の大きさ及び入力された回転角度に基づいて、記録用紙の大きさを決定し、折り条件を規定する複数の折り情報の中から、入力された折り方の種類及び上記決定された記録用紙の大きさに対応する折り情報を決定するＣＰＵ２０４とを有し、操作パネル３０は、決定された折り情報に基づいて、折り畳み後の記録用紙の状態であり、表題欄が表面に含まれるプレビュー画像を表示する。【選択図】図１１
2015020333.tif 000002
【特許請求の範囲】
【請求項１】
表題情報を含む画像を入力する第１入力手段と、
前記画像を記録媒体上に形成する画像形成手段と、
前記画像が形成された記録媒体を折り畳む折り畳み手段と、
前記画像の回転角度及び前記記録媒体の折り方の種類を入力する第２入力手段と、
前記画像の大きさ及び前記入力された回転角度に基づいて、前記記録媒体の大きさを決定する第１決定手段と、
前記折り畳み手段による折り条件を規定する複数の折り情報の中から、前記入力された折り方の種類及び前記決定された記録媒体の大きさに対応する折り情報を決定する第２決定手段と、
前記決定された折り情報に基づいて、折り畳み後の前記記録媒体の状態であり、前記表題情報が表面に含まれるプレビュー画像を表示するプレビュー画像表示手段と、
を備えることを特徴とする画像処理装置。
【請求項２】
前記第２入力手段が前記回転角度及び前記折り方の種類の少なくともいずれか一方の変更指示を入力する場合には、前記プレビュー画像表示手段は、当該入力された変更指示に対応するプレビュー画像を表示することを特徴とする請求項１に記載の画像処理装置。
【請求項３】
前記プレビュー画像は、折り畳み途中の記録媒体の状態を示す第１プレビュー画像及び折り畳み後の記録媒体の状態を示す第２プレビュー画像を含み、
前記プレビュー画像の切り替え指示が入力される度に、前記プレビュー画像表示手段は、前記第１プレビュー画像及び前記第２プレビュー画像を交互に切り替えて表示することを特徴とする請求項１又は２に記載の画像処理装置。
【請求項４】
前記プレビュー画像は、折り畳み後の記録媒体の表側を表す第３プレビュー画像及び折り畳み後の記録媒体の裏側を表す第４プレビュー画像を含み、
前記プレビュー画像の反転指示が入力されると、前記プレビュー画像表示手段は、表示されるプレビュー画像を前記第３プレビュー画像から前記第４プレビュー画像へ切り替えることを特徴とする請求項１乃至３のいずれか１項に記載の画像処理装置。
【請求項５】
前記プレビュー画像は、折り畳み後の記録媒体の表側を表す第３プレビュー画像及び折り畳み後の記録媒体の裏側を表す第４プレビュー画像を含み、
前記記録媒体上の表題情報の位置情報を予め設定する設定手段と、
前記設定された表題情報の位置情報に基づいて、前記表題情報が前記第３プレビュー画像に含まれているか否かを判別する判別手段と、を備え、
前記表題情報が前記第３プレビュー画像に含まれていない場合には、前記プレビュー画像表示手段は、前記第４プレビュー画像を表示することを特徴とする請求項１乃至３のいずれか１項に記載の画像処理装置。
【請求項６】
表題情報を含む画像を入力する入力装置と、前記画像を記録媒体上に形成する画像形成装置と、前記画像が形成された記録媒体を折り畳む折り畳み装置と、に接続される情報処理装置であって、
前記画像の回転角度及び前記記録媒体の折り方の種類を入力する入力手段と、
前記画像の大きさ及び前記入力された回転角度に基づいて、前記記録媒体の大きさを決定する第１決定手段と、
前記折り畳み装置による折り条件を規定する複数の折り情報の中から、前記入力された折り方の種類及び前記決定された記録媒体の大きさに対応する折り情報を決定する第２決定手段と、
前記決定された折り情報に基づいて、折り畳み後の前記記録媒体の状態であり、前記表題情報が表面に含まれるプレビュー画像を表示するプレビュー画像表示手段と、
を備えることを特徴とする情報処理装置。
【請求項７】
表題情報を含む画像を入力する入力装置と、前記画像を記録媒体上に形成する画像形成装置と、前記画像が形成された記録媒体を折り畳む折り畳み装置と、に接続されるコンピュータを、
前記画像の回転角度及び前記記録媒体の折り方の種類を入力する入力手段、
前記画像の大きさ及び前記入力された回転角度に基づいて、前記記録媒体の大きさを決定する第１決定手段、
前記折り畳み装置による折り条件を規定する複数の折り情報の中から、前記入力された折り方の種類及び前記決定された記録媒体の大きさに対応する折り情報を決定する第２決定手段、及び
前記決定された折り情報に基づいて、折り畳み後の前記記録媒体の状態であり、前記表題情報が表面に含まれるプレビュー画像を表示するプレビュー画像表示手段、
として機能させることを特徴とするプログラム。
【発明の詳細な説明】
【技術分野】
【０００１】
本発明は、画像処理装置、情報処理装置及びプログラムに関する。
【背景技術】
【０００２】
従来より、出力用紙の折り畳み手段を備える画像形成装置が知られている（例えば、特許文献１参照）。この画像形成装置では、ユーザは折畳設定手段５で、折畳条件を入力する。プリントキー１６が押下されると、原稿画像の読取りが開始される。ＡＤＦ（Auto Document Feeder）に載せられた原稿が読取手段１により読み取られ、原稿画像が画像記憶手段２に記憶される。折畳条件で設定された折り方と折り幅の通りに原稿画像が折り畳まれた場合に作られる折り目が計算される。プレビュー用の画像が作成され、液晶ディスプレイ８が、プレビュー画像と折り目を、折畳みサイズ単位ごとにプレビュー表示する。
【先行技術文献】
【特許文献】
【０００３】
【特許文献１】特開２００７−２０１７６１号公報
【発明の概要】
【発明が解決しようとする課題】
【０００４】
本発明の目的は、記録媒体の折り畳み前に、折り畳み後の記録媒体に含まれる表題情報の位置をユーザに確認させることができる画像処理装置、情報処理装置及びプログラムを提供することにある。
【課題を解決するための手段】
【０００５】
上記目的を達成するため、請求項１の画像処理装置は、表題情報を含む画像を入力する第１入力手段と、前記画像を記録媒体上に形成する画像形成手段と、前記画像が形成された記録媒体を折り畳む折り畳み手段と、前記画像の回転角度及び前記記録媒体の折り方の種類を入力する第２入力手段と、前記画像の大きさ及び前記入力された回転角度に基づいて、前記記録媒体の大きさを決定する第１決定手段と、前記折り畳み手段による折り条件を規定する複数の折り情報の中から、前記入力された折り方の種類及び前記決定された記録媒体の大きさに対応する折り情報を決定する第２決定手段と、前記決定された折り情報に基づいて、折り畳み後の前記記録媒体の状態であり、前記表題情報が表面に含まれるプレビュー画像を表示するプレビュー画像表示手段と、を備えることを特徴とする。
【０００６】
請求項２の画像処理装置は、請求項１記載の画像処理装置において、前記第２入力手段が前記回転角度及び前記折り方の種類の少なくともいずれか一方の変更指示を入力する場合には、前記プレビュー画像表示手段は、当該入力された変更指示に対応するプレビュー画像を表示することを特徴とする。
【０００７】
請求項３の画像処理装置は、請求項１又は２に記載の画像処理装置において、前記プレビュー画像は、折り畳み途中の記録媒体の状態を示す第１プレビュー画像及び折り畳み後の記録媒体の状態を示す第２プレビュー画像を含み、前記プレビュー画像の切り替え指示が入力される度に、前記プレビュー画像表示手段は、前記第１プレビュー画像及び前記第２プレビュー画像を交互に切り替えて表示することを特徴とする。
【０００８】
請求項４の画像処理装置は、請求項１乃至３のいずれか１項に記載の画像処理装置において、前記プレビュー画像は、折り畳み後の記録媒体の表側を表す第３プレビュー画像及び折り畳み後の記録媒体の裏側を表す第４プレビュー画像を含み、前記プレビュー画像の反転指示が入力されると、前記プレビュー画像表示手段は、表示されるプレビュー画像を前記第３プレビュー画像から前記第４プレビュー画像へ切り替えることを特徴とする。
【０００９】
請求項５の画像処理装置は、請求項１乃至３のいずれか１項に記載の画像処理装置において、前記プレビュー画像は、折り畳み後の記録媒体の表側を表す第３プレビュー画像及び折り畳み後の記録媒体の裏側を表す第４プレビュー画像を含み、前記記録媒体上の表題情報の位置情報を予め設定する設定手段と、前記設定された表題情報の位置情報に基づいて、前記表題情報が前記第３プレビュー画像に含まれているか否かを判別する判別手段と、を備え、前記表題情報が前記第３プレビュー画像に含まれていない場合には、前記プレビュー画像表示手段は、前記第４プレビュー画像を表示することを特徴とする。
【００１０】
請求項６の情報処理装置は、表題情報を含む画像を入力する入力装置と、前記画像を記録媒体上に形成する画像形成装置と、前記画像が形成された記録媒体を折り畳む折り畳み装置と、に接続される情報処理装置であって、前記画像の回転角度及び前記記録媒体の折り方の種類を入力する入力手段と、前記画像の大きさ及び前記入力された回転角度に基づいて、前記記録媒体の大きさを決定する第１決定手段と、前記折り畳み装置による折り条件を規定する複数の折り情報の中から、前記入力された折り方の種類及び前記決定された記録媒体の大きさに対応する折り情報を決定する第２決定手段と、前記決定された折り情報に基づいて、折り畳み後の前記記録媒体の状態であり、前記表題情報が表面に含まれるプレビュー画像を表示するプレビュー画像表示手段と、を備えることを特徴とする。
【００１１】
請求項７のプログラムは、表題情報を含む画像を入力する入力装置と、前記画像を記録媒体上に形成する画像形成装置と、前記画像が形成された記録媒体を折り畳む折り畳み装置と、に接続されるコンピュータを、前記画像の回転角度及び前記記録媒体の折り方の種類を入力する入力手段、前記画像の大きさ及び前記入力された回転角度に基づいて、前記記録媒体の大きさを決定する第１決定手段、前記折り畳み装置による折り条件を規定する複数の折り情報の中から、前記入力された折り方の種類及び前記決定された記録媒体の大きさに対応する折り情報を決定する第２決定手段、前記決定された折り情報に基づいて、折り畳み後の前記記録媒体の状態であり、前記表題情報が表面に含まれるプレビュー画像を表示するプレビュー画像表示手段として機能させることを特徴とする。
【発明の効果】
【００１２】
請求項１の発明によれば、記録媒体の折り畳み前に、折り畳み後の記録媒体に含まれる表題情報の位置をユーザに確認させることができる。
【００１３】
請求項２の発明によれば、画像の回転角度及び記憶用紙の折り方の種類の少なくともいずれか一方が変更した場合にも、折り畳み後の記録媒体に含まれる表題情報の位置をユーザに確認させることができる。
【００１４】
請求項３の発明によれば、折り畳み途中及び折り畳み後の記録媒体に含まれる表題情報の位置をユーザに確認させることができる。
【００１５】
請求項４の発明によれば、折り畳み後の記録媒体の裏側に含まれる表題情報の位置をユーザに確認させることができる。
【００１６】
請求項５の発明によれば、折り畳み後の記録媒体の裏側に含まれる表題情報の位置をユーザに確認させることができる。
【００１７】
請求項６の発明によれば、記録媒体の折り畳み前に、折り畳み後の記録媒体に含まれる表題情報の位置をユーザに確認させることができる。
【００１８】
請求項７の発明によれば、記録媒体の折り畳み前に、折り畳み後の記録媒体に含まれる表題情報の位置をユーザに確認させることができる。
【図面の簡単な説明】
【００１９】
【図１】本実施形態に係る画像処理装置の構成を示す斜視図である。
【図２】画像読取装置で読み取られる原稿の一例を示す図である。
【図３】画像形成装置の構成を示す斜視図である。
【図４】ファン折りの例を示す図である。
【図５】クロス折りの例を示す図である。
【図６】メインコントロール部のハードウエア構成を示すブロック図である。
【図７】（Ａ）〜（Ｃ）は、折り条件を規定する折り情報の例を示す図である。
【図８】（Ａ）〜（Ｃ）は、折り条件を規定する折り情報の例を示す図である。
【図９】Ａ０サイズの図面の例を示す図である。
【図１０】（Ａ）は、図面の画像を時計回りに９０度回転させて、図面が折り畳まれる工程を示す図である。（Ｂ）は、図面の画像を反時計回りに９０度回転させて、図面が折り畳まれる工程を示す図である。
【図１１】メインコントロール部によって実行される処理を示すフローチャートである。
【図１２】（Ａ）は、操作パネルに表示される、画像を選択するための画面の例を示す図である。（Ｂ）は、操作パネルに表示される、回転角度及び折り種類を選択するための画面の例を示す図である。
【図１３】（Ａ）〜（Ｆ）は、操作パネルに表示されるプレビュー画面の例を示す図である。
【図１４】（Ａ）及び（Ｂ）は、記録用紙の折り畳まれる工程を示す図である。
【図１５】メインコントロール部によって実行される処理の第１変形例を示すフローチャートである。
【図１６】メインコントロール部によって実行される処理の第２変形例を示すフローチャートである。
【発明を実施するための形態】
【００２０】
以下、図面を参照しながら本発明の実施の形態を説明する。
【００２１】
（画像処理装置１０の構成）
まず、本実施形態に係る画像処理装置１０の構成を説明する。図１は、本実施形態に係る画像処理装置１０の構成を示す斜視図である。
【００２２】
図１に示すように、画像処理装置１０は、原稿の画像を読み取る画像読取装置１２と、画像読取装置１２によって読み取られた原稿の画像に基づき記録用紙（記録媒体の一例）に画像を形成する画像形成装置１４と、を備えている。さらに、画像処理装置１０は、画像形成装置１４によって画像が形成された記録用紙を折り畳む紙折り装置１６と、画像読取装置１２、画像形成装置１４及び紙折り装置１６を制御する制御装置１５と、を備えている。画像処理装置１０は、ネットワーク５を介して情報処理装置１（例えば、コンピュータ）に接続されている。画像読取装置１２及び情報処理装置１は、例えば、画像を入力する第１入力手段及び入力装置として機能する。画像形成装置１４は画像形成手段として機能する。紙折り装置１６は折り畳み手段及び折り畳み装置として機能する。制御装置１５は情報処理装置として機能する。
【００２３】
なお、本実施形態の画像処理装置１０は、比較的大型サイズの原稿及び記録用紙を処理可能（画像読取可能及び画像形成可能）となっている。すなわち、一般オフィスに設置されている画像形成装置が、通常はＪＩＳ規格でＡ３サイズが最大処理可能サイズであるのに対して、本実施形態の画像処理装置１０は、Ａ３サイズより大きいサイズ（例えば、Ａ０、Ａ１、Ａ２サイズ等）も処理可能である。しかしながら、画像処理装置１０が処理対象とする原稿及び記録用紙のサイズは、限定されるものではない。
【００２４】
また、画像処理装置１０は、図１における−Ｘ方向側が装置の前方側であり、この装置前方側からユーザがアクセスして、原稿のセットなどの作業を行う。
【００２５】
（画像読取装置１２）
画像読取装置１２は、ラインセンサ（図示省略）を有する画像読取部１８と、画像読取部１８へ送り込む原稿をセットする原稿テーブル２０と、原稿の位置合わせのための原稿ガイド２２と、画像読取部１８によって画像が読み取られた原稿が排出される原稿排出口２４と、原稿排出口２４から排出された原稿を装置前面側（−Ｘ方向側）へ案内するＵターン排出ガイド２６と、を備えている。
【００２６】
この画像読取装置１２では、ユーザによって原稿テーブル２０に原稿がセットされると、原稿は画像読取部１８へ搬送され、この搬送（副走査）と画像読取部１８のラインセンサ（図示省略）による主走査とにより、当該原稿に記録された画像が読み取られる。
【００２７】
画像読取装置１２で画像が読み取られる原稿としては、例えば、図２に示す表題欄４を含む原稿２が用いられる。表題欄４含む原稿２としては、例えば、土木、建築、機械などの構造や設計等を示す図面がある。なお、表題欄４には、図面を特定するための名称や番号等の識別情報が記録されており、表題欄４は目次にもなり得るものである。表題欄４は表題情報として機能する。
【００２８】
なお、画像読取装置１２としては、画像読取部１８が原稿に対して移動して原稿画像を読み取る構成であってもよく、原稿と画像読取部１８とを相対移動させて原稿画像を読み取る構成であればよい。
【００２９】
（画像形成装置１４）
図３に示されるように、画像形成装置１４は、記録媒体としての記録用紙を収容する複数の用紙収容部５０、５２、５４と、記録用紙に画像を形成する画像形成部４４と、画像が形成された記録用紙を排出する排出口４０と、排出口４０から排出された記録用紙が積載収容される収容部４２と、を備えている。
【００３０】
複数の用紙収容部５０、５２、５４は、上下方向に沿って配置されている。上段の用紙収容部５０及び中段の用紙収容部５２は、ロール紙（芯材に円筒状に巻き付けられた記録用紙）を収容し、下段の用紙収容部５４は、カット紙（予め指定されたサイズに切断された断片紙）を収容する。上段の用紙収容部５０及び中段の用紙収容部５２に収容されたロール紙は、予め指定されたサイズに裁断されて使用される。用紙収容部５０、５２、５４では、ユーザが、把持部７０に指を引っ掛けて、引き出し操作がなされるようになっている。
【００３１】
上段の用紙収容部５０、中段の用紙収容部５２の右側には、それぞれトレイ操作パネル６０、６２が設けられている。トレイ操作パネル６０、６２は、それぞれ用紙収容部５０、用紙収容部５２に収容されている用紙の種類や残量を表示する。トレイ操作パネル６０、６２の下方には、本装置の主電源スイッチ６６が設けられている。
【００３２】
画像形成部４４は、トナー画像が形成される感光体ドラム（図示省略）と、感光体ドラムから転写されたトナー画像を記録用紙に定着する定着部（図示省略）と、を有している。画像形成部４４では、用紙収容部５０、５２、５４のいずれかから送り出された記録用紙に対して、感光体ドラム（図示省略）から、トナー画像が転写され、感光体ドラムから転写されたトナー画像を定着部（図示省略）が記録用紙に定着する。なお、記録用紙がロール紙である場合は、当該ロール紙に対して画像が形成される前に、又は、画像が形成された後に、画像形成部４４が予め指定されたサイズに裁断する。
【００３３】
（紙折り装置１６）
図１に示されるように、紙折り装置１６は、記録用紙を折り畳む装置である。具体的には、紙折り装置１６は、搬送方向と直交する方向に沿った折り（谷折り及び山折り）を行った後、搬送方向に沿った折り（谷折り及び山折り）を行う。また、折り畳まれた記録用紙は、収容部６８に収容される。
【００３４】
紙折り装置１６では、複数の種類の折り方法が実施可能である。例えば、紙折り装置１６は、図４に示すようなファン折りと、図５に示すような、ファン折りとは異なるクロス折りとを実施する。ファン折りは、とじしろを作る記録用紙の折り方であり、クロス折りは所定の幅（例えば、210mm幅又は297mm幅）で均等に記録用紙を折る折り方である。なお、紙折り装置１６が実施可能な折り方法は、ファン折り及びクロス折りに限定されるものではない。図４及び図５における破線は谷折りを示し、実線は山折りを示す。図４及び図５における記録用紙内の斜線部は、記録用紙に形成された画像の表題欄を示す。
【００３５】
記録用紙のサイズは、図４及び図５に示されるように、例えば、Ａ０縦、Ａ１縦、Ａ２縦、Ａ３縦、Ａ１横、Ａ２横、Ａ３横がある。なお、「縦」とは、記録用紙の長手方向が搬送方向に沿った状態で記録用紙が搬送される場合を示す。この場合、記録用紙の搬送方向に沿った長さが、搬送方向に直交する長さよりも長い。また、「横」とは、記録用紙の短手方向が搬送方向に沿った状態で記録用紙が搬送される場合を示す。この場合、記録用紙の搬送方向に沿った長さが、搬送方向に直交する長さよりも短い。
【００３６】
（制御装置１５）
制御装置１５は、図１に示されるように、原稿の読み取りの開始、終了を指示する操作部を備えた原稿操作パネル２８と、画像処理に関する詳細情報を入力及び報知するタッチパネル型の操作パネル３０と、電源を投入又は遮断するための電源スイッチ３４と、後述するメインコントロール部２００を収容するキャビネット３６と、メインコントロール部２００に接続されユーザーが操作するデバイス（ＣＤ、ＤＶＤドライブ等）を収容する操作制御部３８と、を備えている。メインコントロール部２００では、画像処理装置１０全体を一括制御する。操作パネル３０は、例えば、第２入力手段、プレビュー画像表示手段及び設定手段として機能する。
【００３７】
（メインコントロール部２００）
図６は、メインコントロール部２００のハードウエア構成を示すブロック図である。
【００３８】
図６に示されるように、メインコントロール部２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介して原稿操作パネル２８及び操作パネル３０が接続されている。また、Ｉ／Ｏ２１０には、操作制御部３８及びハードディスク（ＨＤ）２１８が接続されている。ＣＰＵ２０４は、ＲＯＭ２０８やＨＤ２１８等に記録されているプログラムに基づいて動作し、メインコントロール部２００の機能を実現する。Ｉ／Ｏ２１０には、タイマ回路２２０及び通信回線Ｉ／Ｆ２２２が接続されている。さらに、Ｉ／Ｏ２１０には、画像読取装置１２、画像形成装置１４及び紙折り装置１６が接続されている。通信回線Ｉ／Ｆ２２２はネットワーク５を介して情報処理装置１が接続されている。
【００３９】
ＨＤ２１８は、画像読取装置１２で読み取られた原稿の画像や情報処理装置１から送信される画像を保存する。ＣＰＵ２０４は、例えば、第１決定手段、第２決定手段、及び判別手段として機能する。
【００４０】
図７及び図８は、折り条件を規定する折り情報の例を示す図である。
【００４１】
図７（Ａ）は、記録用紙の搬送方向が記録用紙の長手方向が平行であり、ファン折り且つ第１折りが実行される場合の折り情報を示す。図７（Ｂ）は、記録用紙の搬送方向が記録用紙の長手方向と平行であり、ファン折り且つ第２折りが実行される場合の折り情報を示す。第１折りとは、記録用紙の搬送方向に対して直角に記録用紙を折る折り方である。第２折りとは、第１折りを行った後に、記録用紙の搬送方向に対して平行に記録用紙を折る折り方である。図７（Ｃ）は、記録用紙の搬送方向が記録用紙の短手方向が平行であり、ファン折り且つ第１折りが実行される場合の折り情報を示す。図８（Ａ）は、記録用紙の搬送方向が記録用紙の短手方向と平行であり、ファン折り且つ第２折りが実行される場合の折り情報を示す。図８（Ｂ）は、記録用紙の搬送方向が記録用紙の長手方向と平行であり、クロス折り且つ第１折りが実行される場合の折り情報を示す。図８（Ｃ）は、記録用紙の搬送方向が記録用紙の長手方向と平行であり、クロス折り且つ第２折りが実行される場合の折り情報を示す。
【００４２】
折り情報は、ＨＤ２１８又はＲＯＭ２０８に保存されている。折り情報は、用紙サイズと、用紙サイズの一辺の長さである折り全長と、折り回数と、記録用紙が折られる位置間の長さを示す折り長さと、谷折り又は山折りを示す折り方向とを含む。記録用紙の搬送方向が記録用紙の長手方向である場合には、折り全長は記録用紙の長手方向の一辺の長さである。記録用紙の搬送方向が記録用紙の短手方向である場合には、折り全長は記録用紙の短手方向の一辺の長さである。
【００４３】
ところで、Ａ０サイズのような大きな記録用紙をＡ４サイズに折り畳む場合、折り方が複雑で、表題欄が表にくるような折り方を指示するのが容易ではない。
【００４４】
例えば、図９に示すように、Ａ０サイズの図面７２では、ＩＳＯ規格により、表題欄７４は図面７２の右下に配置される。Ａ０サイズ（８４１ｍｍ×１１８９ｍｍ）の図面７２を出力する画像形成装置１４は、８４１ｍｍ幅のロール紙を１１８９ｍｍの長さで切断する。そして、画像形成装置１４は、図面７２の画像を９０度回転して、図面７２の長手方向がロール紙の搬送方向と平行な状態で、画像形成を行う。ここで、紙折り装置１６を使用して、出力されるロール紙をファン折りする場合、図面７２の画像の回転方向により、折り畳み後のロール紙の状態が異なる。例えば、図面７２の画像を時計回りに９０度回転させた場合には、図１０（Ａ）に示すように、表題欄７４が表向きになる。一方、図面７２の画像を反時計回りに９０度回転させた場合には、図１０（Ｂ）に示すように、表題欄７４は、折り畳まれた図面７２の内側に入ってしまう。この場合、ユーザは、簡単に表題欄７４を確認することができない。表題欄を表向きにするためには、ユーザは出力されたロール紙を折り直す必要がある。
【００４５】
本実施の形態では、このような問題を解消するために、操作パネル３０が折り畳み後の記録用紙をプレビュー画像で表示し、記録用紙の折り畳み前に、折り畳み後の記録用紙に含まれる表題欄の位置をユーザに確認させる。
【００４６】
図１１は、メインコントロール部２００によって実行される処理を示すフローチャートである。
【００４７】
まず、ＣＰＵ２０４は、操作パネル３０からＵＩ制御回路２１４及びＩ／Ｏ２１０を介して画像（例えば図面データ）の選択指示を入力する（ステップＳ１）。例えば、図１２（Ａ）は操作パネル３０に表示される、画像を選択するための画面の例を示す。図１２（Ａ）では、「image0001.tif」の画像３０１が選択されている。
【００４８】
次に、ＣＰＵ２０４は、操作パネル３０からＵＩ制御回路２１４及びＩ／Ｏ２１０を介して回転角度の指示を入力する（ステップＳ２）。次に、ＣＰＵ２０４は、操作パネル３０からＵＩ制御回路２１４及びＩ／Ｏ２１０を介して折り種類の指示を入力する（ステップＳ３）。図１２（Ｂ）は、操作パネル３０に表示される、回転角度及び折り種類を選択するための画面の例を示す。図１２（Ｂ）では、ボタン群３０２が画像の回転角度の指示を入力するためのボタンであり、ボタン群３０３が折り種類の指示を入力するためのボタンである。
【００４９】
ＣＰＵ２０４は、ステップＳ１で選択された画像のサイズと、ステップＳ２で入力された回転角度とに基づいて、当該画像が印刷される記録用紙のサイズを決定する（ステップＳ４）。ＣＰＵ２０４は、ステップＳ４で決定されたサイズの記録用紙が画像形成装置１４にあるか否かを判別する（ステップＳ５）。具体的には、ＣＰＵ２０４は、ステップＳ４で決定されたサイズの記録用紙が画像形成装置１４にあるか否かを画像形成装置１４に問い合わせ、画像形成装置１４からの応答に基づいてステップＳ４で決定されたサイズの記録用紙が画像形成装置１４にあるか否かを判別する。
【００５０】
ステップＳ４で決定されたサイズの記録用紙が画像形成装置１４にない場合には（ステップＳ５でＮＯ）、ＣＰＵ２０４は、対応するサイズの記録用紙が画像形成装置１４にない旨の情報を操作パネル３０に表示する（ステップＳ６）。
【００５１】
ステップＳ４で決定されたサイズの記録用紙が画像形成装置１４にある場合には（ステップＳ５でＹＥＳ）、ＣＰＵ２０４は、ＨＤ２１８に格納されている折り条件を規定する折り情報の中から、ステップＳ３で入力された折り種類とステップＳ４で決定された記録用紙のサイズとに対応する折り情報を決定する（ステップＳ７）。
【００５２】
ＣＰＵ２０４は、ステップＳ７で決定された折り情報に基づいて、ステップＳ１で選択された画像からプレビュー画像を作成する（ステップＳ８）。作成されるプレビュー画像は、図４に示すような、折り畳み途中の記録用紙の状態を示すプレビュー画像Ｘと折り畳みが完成した後の記録用紙の状態を示すプレビュー画像Ｙとを含む。プレビュー画像Ｘとプレビュー画像Ｙは互いに関連付けされている。従って、プレビュー画像Ｘが表示され且つプレビュー画像の変更指示が入力されると、プレビュー画像Ｙが表示される。プレビュー画像Ｙが表示され且つプレビュー画像の変更指示が入力されると、プレビュー画像Ｘが表示される。
【００５３】
ＣＰＵ２０４は、ステップＳ８で作成されたプレビュー画像を操作パネル３０に表示し（ステップＳ９）、ステップＳ２に戻る。尚、ステップＳ９で操作パネル３０に表示されるプレビュー画像は、例えば、図４に示すような、折り畳みが完成した後の記録用紙の状態を示すプレビュー画像Ｙである。
【００５４】
また、プレビュー画像を操作パネル３０に表示した（ステップＳ９）後、操作パネル３０で回転角度や折り種類を再入力し（即ち、変更し）（ステップＳ２及びＳ３）、変更された回転角度や折り種類に応じたプレビュー画像を操作パネル３０に表示する（ステップＳ９）ので、ユーザはプレビュー画像を見ながら、回転角度や折り種類を変更できる。
【００５５】
図１３（Ａ）〜（Ｆ）は、操作パネル３０に表示されるプレビュー画面の例を示す図である。
【００５６】
図１３（Ａ）に示すように、プレビュー画面は、ボタン群３０２、ボタン群３０３及びプレビュー画像表示領域３０４を含む。ボタン群３０２は、画像の回転角度を入力するための「０度」ボタン３０２ａ、「９０度」ボタン３０２ｂ、「１８０度」ボタン３０２ｃ、及び「２７０度」ボタン３０２ｄを有する。ボタン群３０３は、折り種類を入力するための「ファン折り」ボタン３０３ａ、「クロス折り」ボタン３０３ｂ、「特殊折り１」ボタン３０３ｃ及び「特殊折り２」ボタン３０３ｄを有する。図１３（Ａ）のプレビュー画像表示領域３０４は、折り畳みが完成した後の記録用紙の状態を示すプレビュー画像Ｙを表示している。尚、図１３（Ａ）〜（Ｆ）において、プレビュー画像Ｘ及びＹ内のハッチ部分が表題欄を示している。
【００５７】
図１３（Ａ）のプレビュー画面において、プレビュー画像の変更指示が入力されると（例えば、プレビュー画像表示領域３０４のプレビュー画像をタップする）、ＣＰＵ２０４は、操作パネル３０に折り畳み途中の記録用紙の状態を示すプレビュー画像Ｘを表示する。具体的には、図１３（Ｂ）に示すように、プレビュー画像表示領域３０４が、プレビュー画像Ｘを表示する。逆に、図１３（Ｂ）のプレビュー画面において、プレビュー画像の変更指示が入力されると、ＣＰＵ２０４は、操作パネル３０に折り畳みが完成した後の記録用紙の状態を示すプレビュー画像Ｙを表示する。具体的には、図１３（Ａ）に示すように、プレビュー画像表示領域３０４が、プレビュー画像Ｙを表示する。プレビュー画像の変更指示は、プレビュー画像のタップ、プレビュー画像のピンチアウト又はピンチオープン、若しくはプレビュー画像のドラッグである。
【００５８】
図１３（Ａ）のプレビュー画面において、「１８０度」ボタン３０２ｃが押下されると（即ち、画像の回転角度を変更する指示が入力される）、図１３（Ｃ）に示すように、プレビュー画像表示領域３０４は、画像が１８０度回転された場合のプレビュー画像Ｙを表示する。逆に、図１３（Ｃ）のプレビュー画面において、「０度」ボタン３０２ａが押下されると、図１３（Ａ）に示すように、プレビュー画像表示領域３０４は、画像が回転されない場合のプレビュー画像Ｙを表示する。
【００５９】
図１３（Ｃ）のプレビュー画面において、プレビュー画像の変更指示が入力されると、又は図１３（Ｂ）のプレビュー画面において、「１８０度」ボタン３０２ｃが押下されると、図１３（Ｄ）に示すように、プレビュー画像表示領域３０４が、画像が１８０度回転された場合のプレビュー画像Ｘを表示する。
【００６０】
図１３（Ｄ）のプレビュー画面において、「０度」ボタン３０２ａが押下されると、図１３（Ｂ）に示すように、プレビュー画像表示領域３０４は、画像が回転されない場合のプレビュー画像Ｘを表示する。図１３（Ｄ）のプレビュー画面において、プレビュー画像の変更指示が入力されると、図１３（Ｃ）に示すように、プレビュー画像表示領域３０４は、画像が１８０度回転された場合のプレビュー画像Ｙを表示する。
【００６１】
図１３（Ｃ）のプレビュー画面において、「クロス折り」ボタン３０３ｂが押下されると、図１３（Ｅ）に示すように、プレビュー画像表示領域３０４は、記録用紙がクロス折りされた場合のプレビュー画像Ｙを表示する。逆に、図１３（Ｅ）のプレビュー画面において、「ファン折り」ボタン３０３ａが押下されると、図１３（Ｃ）に示すように、プレビュー画像表示領域３０４は、記録用紙がファン折りされた場合のプレビュー画像Ｙを表示する。
【００６２】
図１３（Ｅ）のプレビュー画面において、プレビュー画像の変更指示が入力されると、又は図１３（Ｄ）のプレビュー画面において、「クロス折り」ボタン３０３ｂが押下されると、図１３（Ｆ）に示すように、プレビュー画像表示領域３０４は、記録用紙がクロス折りされた場合のプレビュー画像Ｘを表示する。
【００６３】
図１３（Ｆ）のプレビュー画面において、「ファン折り」ボタン３０３ａが押下されると、図１３（Ｄ）に示すように、プレビュー画像表示領域３０４は、記録用紙がファン折りされた場合のプレビュー画像Ｘを表示する。図１３（Ｆ）のプレビュー画面において、プレビュー画像の変更指示が入力されると、図１３（Ｅ）に示すように、プレビュー画像表示領域３０４は、記録用紙がクロス折りされた場合のプレビュー画像Ｙを表示する。
【００６４】
図１４（Ａ）及び（Ｂ）は、記録用紙の折り畳まれる工程を示す図である。図１５は、メインコントロール部２００によって実行される処理の第１変形例を示すフローチャートである。図１５の処理は、例えば図１１のステップＳ８及びステップＳ９の代わりに実行される。
【００６５】
記録用紙上の表題欄の位置によって、記録用紙が折り畳まれた後に、表題欄が折り畳み後の記録用紙の表側になく、折り畳み後の記録用紙の裏側にある場合がある。このような場合、ユーザは折り畳み後の記録用紙を反転させれば、表題欄を確認できる。
【００６６】
例えば、図１４（Ａ）に示すように、Ａ１サイズの記録用紙７５において、表題欄７６が記録用紙７５の右下に配置されていると、表題欄７６は折り畳み後の記録用紙７５の表側に現れる。一方、図１４（Ｂ）に示すように、Ａ１サイズの記録用紙７５において、表題欄７６が記録用紙７５の左上に配置されていると、表題欄７６は折り畳み後の記録用紙７５の表側に現れない（状態Ｚ参照）。この場合、折り畳み後の記録用紙７５を反転させれば、表題欄７６が現れる（状態Ｚ１参照）。
【００６７】
そこで、図１５に示すように、ＣＰＵ２０４は、図１１のステップＳ７で決定された折り情報に基づいて、折り畳み後の記録用紙の表側を表すプレビュー画像だけでなく、折り畳み後の記録用紙の裏側を表すプレビュー画像を作成する（ステップＳ１１）。つまり、ＣＰＵ２０４は、図１４（Ｂ）の状態Ｚのプレビュー画像だけでなく、状態Ｚ１のプレビュー画像も作成する。
【００６８】
そして、ＣＰＵ２０４は、折り畳み後の記録用紙の表側を表すプレビュー画像を操作パネル３０に表示する（ステップＳ１２）。
【００６９】
その後、操作パネル３０にプレビュー画像の反転指示が入力された場合に（ステップＳ１３でＹＥＳ）、ＣＰＵ２０４は、反転されたプレビュー画像（つまり、折り畳み後の記録用紙の裏側を表すプレビュー画像）を操作パネル３０に表示する（ステップＳ１４）。プレビュー画像の反転指示は、例えば、プレビュー画像のタップ、プレビュー画像のピンチアウト又はピンチオープン、若しくはプレビュー画像のドラッグである。
【００７０】
尚、操作パネル３０にプレビュー画像の反転指示が入力される度に、ＣＰＵ２０４は、折り畳み後の記録用紙の表側を表すプレビュー画像及び折り畳み後の記録用紙の裏側を表すプレビュー画像を交互に切り替えて、操作パネル３０に表示してもよい。
【００７１】
図１６は、メインコントロール部２００によって実行される処理の第２変形例を示すフローチャートである。図１６の処理は、例えば図１１のステップＳ８とステップＳ９との間で実行される。
【００７２】
ユーザは操作パネル３０を使って記録用紙上の表題欄の位置情報を予め設定する（ステップＳ２１）。ＣＰＵ２０４は、設定された表題欄の位置情報に基づいて、表題欄が、折り畳み後の記録用紙の表側を表すプレビュー画像に含まれるか否かを判別する（ステップＳ２２）。そして、表題欄が、折り畳み後の記録用紙の表側を表すプレビュー画像に含まれる場合には（ステップＳ２２でＹＥＳ）、ＣＰＵ２０４は、折り畳み後の記録用紙の表側を表すプレビュー画像を操作パネル３０に表示する（ステップＳ２３）。
【００７３】
一方、表題欄が、折り畳み後の記録用紙の表側を表すプレビュー画像に含まれない場合には（ステップＳ２２でＮＯ）、ＣＰＵ２０４は、折り畳み後の記録用紙の裏側を表すプレビュー画像を操作パネル３０に表示する（ステップＳ２４）。
【００７４】
図１６の処理では、プレビュー画像の反転指示が入力されなくても、自動的に反転されたプレビュー画像が表示されるので、画像処理装置の操作性が向上する。
【００７５】
なお、表題欄が、折り畳み後の記録用紙の表側を表すプレビュー画像に含まれる場合には（ステップＳ２２でＹＥＳ）、ＣＰＵ２０４は、プレビュー画像を操作パネル３０に表示せず、表題欄が、折り畳み後の記録用紙の表側を表すプレビュー画像に含まれない場合にのみ（ステップＳ２２でＮＯ）、ＣＰＵ２０４は、プレビュー画像を操作パネル３０に表示してもよい。この場合、表題欄が、折り畳み後の記録用紙の表側にない場合だけ、プレビュー画像が表示されるので（つまり、問題がある場合だけプレビュー画像が表示される）、折り畳みの生産性が向上する。
【００７６】
上記実施の形態では、図１３（Ａ）〜（Ｆ）に示すように、プレビュー画面を操作パネル３０に表示したが、例えば、情報処理装置１のモニタに表示してもよい。この場合、プレビュー画像の表示並びに回転角度及び折り種類の設定は、情報処理装置１の操作パネル（ドライバー）で実行される。
【００７７】
また、上記実施の形態では、ＨＤ２１８が画像を蓄積し、ＣＰＵ２０４は、蓄積された画像の中から選択された１つの画像のプレビュー画像を作成し、操作パネル３０にプレビュー画像を表示している。例えば、コピー時に、ＣＰＵ２０４は、画像読取装置１２で読み取られた画像のプレビュー画像を作成して、操作パネル３０にプレビュー画像を表示してもよい。
【００７８】
以上説明したように、本実施の形態によれば、画像処理装置１０は、表題欄を含む画像の回転角度及び記録用紙の折り方の種類を入力する操作パネル３０と、当該画像の大きさ及び入力された回転角度に基づいて、記録用紙の大きさを決定し、折り条件を規定する複数の折り情報の中から、入力された折り方の種類及び上記決定された記録用紙の大きさに対応する折り情報を決定するＣＰＵ２０４とを有し、操作パネル３０は、決定された折り情報に基づいて、折り畳み後の記録用紙の状態であり、表題欄が表面に含まれるプレビュー画像を表示する。よって、画像処理装置１０は、記録用紙の折り畳み前に、折り畳み後の記録用紙に含まれる表題欄の位置をユーザに確認させる。
【００７９】
制御装置１５の機能を実現するためのソフトウェアのプログラムが記録されている記録媒体を、制御装置１５に供給し、ＣＰＵ２０４が記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。また、ＣＰＵ２０４が、制御装置１５の機能を実現するためのソフトウェアのプログラムを実行することによっても、上記実施の形態と同様の効果を奏する。
【００８０】
なお、本発明は、上述した実施の形態に限定されるものではなく、その要旨を逸脱しない範囲内で種々変形して実施することが可能である。
【符号の説明】
【００８１】
１０  画像処理装置
１２  画像読取装置
１４  画像形成装置
１５  制御装置
１６  紙折り装置
３０  操作パネル
３８  操作制御部
２００  メインコントロール部
２０４  ＣＰＵ
２０６  ＲＡＭ
２０８  ＲＯＭ
２１０  Ｉ／Ｏ
２１８  ハードディスク（ＨＤ）
【図１】
2015020333.tif 000003
【図２】
2015020333.tif 000004
【図３】
2015020333.tif 000005
【図４】
2015020333.tif 000006
【図５】
2015020333.tif 000007
【図６】
2015020333.tif 000008
【図７】
2015020333.tif 000009
【図８】
2015020333.tif 000010
【図９】
2015020333.tif 000011
【図１０】
2015020333.tif 000012
【図１１】
2015020333.tif 000013
【図１２】
2015020333.tif 000014
【図１３】
2015020333.tif 000015
【図１４】
2015020333.tif 000016
【図１５】
2015020333.tif 000017
【図１６】
2015020333.tif 000018